(57)【要約】      （修正有）【課題】所定の時間以内に対象の全ての非接触ＩＣカードに対して非接触ＩＣカード用読取装置が通信を完結させるための管理装置を提供する。【解決手段】非接触ＩＣカード用読取管理装置１に内蔵された記憶装置２に記憶されたＩＤ情報と変調信号４を非接触ＩＣカード５に対して出力する。非接触ＩＣカードは非接触ＩＣカード用読取管理装置に対して変調信号に同期したＩＤ情報を返答６として出力する。非接触ＩＣカード用読取管理装置は返答を出力した非接触ＩＣカードを応対する非接触ＩＣカードとして認定し、ＩＤ情報と変調信号を読取管理情報記憶装置２ａに記憶させ、以降、読取管理情報記憶装置に記憶された変調信号とＩＤ情報により通信を確保する。【選択図】図１
2020021439.tif 000002
【特許請求の範囲】
【請求項１】
非接触ＩＣカード用読取管理装置（１）において、ＩＤ情報（３）を非接触ＩＣカード（５）に対して変調器（７）により変調信号（４）として出力する手段と、該変調信号（４）を受信し、該変調信号（４）に対応するＩＤ情報（３）と該変調信号（４）を出力する手段と、該非接触ＩＣカード（５）から出力されたＩＤ情報（３）と該変調信号（４）を復調器（８）によりＩＤ情報（３）に変換し記憶する読取管理情報記憶装置（２ａ）を有し、該読取管理情報記憶装置（２ａ）に記憶されたＩＤ情報（３）と該変調信号（４）により同時並行的に非接触ＩＣカード読取管理装置（１）が複数の非接触ＩＣカード（５並びに５ａ他）との通信を行い、読取情報処理装置（９）により非接触ＩＣカード読取管理装置（１）が複数の非接触ＩＣカード（５並びに５ａ他）とが同時並行的に情報通信を行うことを特徴とする非接触ＩＣカード用同時通信管理装置。
【請求項２】
非接触ＩＣカード用読取管理装置（１）において、非接触ＩＣカード（５）に対して変調信号（４）をＢＰＳＫ、ＱＰＳＫ、ＲＺ−ＳＳＢ等の変調方式とすることを特徴とする請求項１に記載の非接触ＩＣカード用同時通信管理装置。
【請求項３】
非接触ＩＣカード用読取装置（１）において、非接触ＩＣカード（５）に対して変調信号（４）を多重分割とすることを特徴とする請求項１に記載の非接触ＩＣカード用同時通信管理装置。
【請求項４】
非接触ＩＣカード用読取管理装置（１）において、非接触ＩＣカード（５）に対して変調新信号（４）の搬送波を所定の値で偏移させることを特徴とする請求項１に記載の非接触ＩＣカード用同時通信管理装置。
【請求項５】
非接触ＩＣカード用読取管理装置（１）において、非接触ＩＣカード（５）に対して変調信号（４）を等間隔に分割して通信することを特徴とする請求項１に記載の非接触ＩＣカード用同時通信管理装置。
【発明の詳細な説明】
【技術分野】
【０００１】本発明は、非接触ＩＣカードと非接触ＩＣカードの読取機器との通信において同時に他のＩＣカードとの通信を回避し、非接触ＩＣカードと非接触ＩＣカードの読取機器との通信の混信を行わないように通信の管理を行うために、同一周波数での通信において出来るだけ短期間において通信を行う非接触ＩＣカードを認識し、同時に通信を行う非接触ＩＣカードの数を確保するための非接触ＩＣカードと非接触ＩＣカードの読取機器との同時通信管理を行う装置に関するものである。
【背景技術】
【０００２】非接触ＩＣカード用読取装置は複数の非接触ＩＣカードから逐一一個の非接触ＩＣカードを選択して該非接触ＩＣカードに対して読取を行うのが一般的であった。しかし、大量の非接触ＩＣカードの全てに対して読取を行うのに必要な所要時間が多く掛かり、所定の時間以内に全ての非接触ＩＣカードの読取を行うことが不可能な場合が多く、非接触ＩＣカードの処理に問題を生じることが多かった。【０００３】  従来、非接触ＩＣカードと非接触ＩＣカードの読取機器との通信周波数を判定し、同時に他のＩＣカードとの通信を回避するもの（例えば、特開２０１２−１６８８０９公報）がある。また、非接触ＩＣカードと非接触ＩＣカードの読取機器との通信において通信用変調方式の違いを用いて同時に他のＩＣカードとの通信を回避するもの（例えば、特開２００１−２８３１６２公報）がある。
【先行技術文献】
【特許文献】
【０００４】
【特許文献１】特開２０１２−１６８８０９
【特許文献２】特開２００１−２８３１６２
【発明の概要】
【発明が解決しようとする課題】
【０００５】特許文献１は非接触ＩＣカードと非接触ＩＣカードの読取機器との通信において通信周波数を判定し、その周波数による通信により、該ＩＣカードとの通信を行い、他の非接触ＩＣカードとの通信を回避することを管理するものであるが、該通信の間は他のＩＣカードとの通信は行なうことができない。特許文献２は通信用変調方式に適用しているかを予め非接触ＩＣカードの読取機器から送信する通信変調方式に適用している場合に該ＩＣカードから応答信号を発信し、通信可能なＩＣカードであることを認識するものであり、同一の通信周波数では該通信の間は他のＩＣカードとの通信は行なうことができない。【０００６】本発明は、この課題を実現するために、非接触ＩＣカードの読取機器が通信の相手であるＩＣカードに対して該当の通信周波数を変調方式等により分割し、出来るだけほぼ同時に非接触ＩＣカードと非接触ＩＣカードの読取機器との通信を行い、対応するＩＣカードの数を確保することができる管理装置を提供することにある。
【課題を解決するための手段】
【０００７】（請求項１）本発明に係る非接触ＩＣカード用同時通信管理装置は非接触ＩＣカードに対して変調周波数とＩＤ情報を出力する手段と、該変調周波数を受信し、該変調周波数に対応するＩＤ情報を出力する手段を有することで、同時並行的に非接触ＩＣカード読取装置が複数の非接触ＩＣカードとの通信を行うことが可能となる。【０００８】（請求項２）該変調周波数をＢＰＳＫ、ＱＰＳＫ、ＲＺ−ＳＳＢ等の変調方式とすることであってもよい。こうすることで、同時並行的に非接触ＩＣカード読取装置が複数の非接触ＩＣカードとの通信を行うことが可能となる。【０００９】（請求項３）該変調周波数を多重分割変調方式とすることであってもよい。こうすることで、同時並行的に非接触ＩＣカード読取装置が複数の非接触ＩＣカードとの通信を行うことが可能となる。【００１０】（請求項４）該変調周波数の搬送波を所定の値で偏移させることであってもよい。こうすることで、同時並行的に非接触ＩＣカード読取装置が複数の非接触ＩＣカードとの通信を行うことが可能となる。【００１１】（請求項５）該変調周波数を等間隔に分割する変調方式とすることであってもよい。こうすることで、同時並行的に非接触ＩＣカード読取装置が複数の非接触ＩＣカードとの通信を行うことが可能となる。
【発明の効果】
【００１２】（請求項１）本発明に係る非接触ＩＣカード用同時通信管理装置によれば、該非接触ＩＣカード用同時通信管理装置から非接触ＩＣカードに対して出力する変調周波数に対して、該非接触ＩＣカードが該変調周波数を受信し、該変調周波数に対応する信号を出力することで、同時並行的に非接触ＩＣカード読取装置が複数の非接触ＩＣカードとの通信を行うことが可能となる。【００１３】請求項２によれば、該変調周波数をＢＰＳＫ、ＱＰＳＫ、ＲＺ−ＳＳＢ等の変調方式とすることで、同時並行的に複数の非接触ＩＣカードが該非接触ＩＣカード用読取管理装置からの信号を受信し、その信号に対して該非接触ＩＣカードから該非接触ＩＣカード用読取管理装置に対して応答信号を出力することで、同時並行的に非接触ＩＣカード読取管理装置が複数の非接触ＩＣカードとの通信を行うことが可能となる。【００１４】請求項３によれば、該変調周波数を多重分割変調方式の変調方式とすることで、同時並行的に複数の非接触ＩＣカードが該非接触ＩＣカード用読取管理装置からの信号を受信し、その信号に対して該非接触ＩＣカードから該非接触ＩＣカード用読取管理装置に対して応答信号を出力することで、同時並行的に非接触ＩＣカード読取管理装置が複数の非接触ＩＣカードとの通信を行うことが可能となる。【００１５】請求項４によれば、該変調周波数の搬送波を所定の値で偏移させる変調方式とすることで、同時並行的に複数の非接触ＩＣカードが該非接触ＩＣカード用読取管理装置からの信号を受信し、その信号に対して該非接触ＩＣカードから該非接触ＩＣカード用読取管理装置に対して応答信号を出力することで、同時並行的に非接触ＩＣカード読取管理装置が複数の非接触ＩＣカードとの通信を行うことが可能となる。【００１６】請求項５によれば、該変調周波数を等間隔に分割する変調方式とすることで、同時並行的に複数の非接触ＩＣカードが該非接触ＩＣカード用読取管理装置からの信号を受信し、その信号に対して該非接触ＩＣカードから該非接触ＩＣカード用読取管理装置に対して応答信号を出力することで、同時並行的に非接触ＩＣカード読取管理装置が複数の非接触ＩＣカードとの通信を行うことが可能となる。
【図面の簡単な説明】
【００１７】
【図１】非接触ＩＣカード用読取管理装置が管理対象の非接触ＩＣカードを管理する時の概念図である。
【図２】非接触ＩＣカード用読取管理装置が最初に管理対象の非接触ＩＣカードを確保する動作に関する概念図である。
【図３】非接触ＩＣカード用読取管理装置が管理対象の非接触ＩＣカードを確保した後に行う動作に関する概念図である。
【図４】非接触ＩＣカード用読取管理装置に内蔵された変調処理機能及び復調処理機能に関する概念図である。
【発明を実施するための形態】
【００１８】以下に、この発明の実施の形態を、図面を参照して、説明する。
（請求項１）図１で、本発明に係る非接触ＩＣカード用読取管理装置１から非接触ＩＣカード５に対して出力する変調信号４とＩＤ情報３に対して、該非接触ＩＣカード５が該変調信号４を受信し、該変調信号４に対応する該ＩＤ情報３を出力し、図２で該非接触ＩＣカード用読取管理装置１の読取管理情報記憶装置２ａに記憶させ、以降、図３で、該読取管理情報記憶装置２ａに記憶された情報に基づき、該非接触ＩＣカード用読取管理装置１が読取対象となる非接触ＩＣカード（５並びに５ａ他）を確保し、情報の送受信を行うことで、同時並行的に非接触ＩＣカード読取管理装置１が複数の非接触ＩＣカード（５並びに５ａ他）との通信を行うことが可能となる。
【００１９】（請求項２）図４で、本発明に係る非接触ＩＣカード用読取管理装置１から非接触ＩＣカードに対して出力する変調信号４をＢＰＳＫ、ＱＰＳＫ、ＲＺ−ＳＳＢ等も狭帯域通信用変調方式とすることで、該非接触ＩＣカード５が該変調周波数４とＩＤ情報３を受信し、該変調信号４に対応するＩＤ情報３を出力することで、同時並行的に非接触ＩＣカード読取管理装置１が複数の非接触ＩＣカード（５並びに５ａ他）との通信を行うことが可能となる。
【００２０】（請求項３）図４で、本発明に係る非接触ＩＣカード用読取管理装置１ら非接触ＩＣカード５対して出力する変調信号４に多重分割変調方式を用いることで、該非接触ＩＣカード５が変調信号４とＩＤ情報３を受信し、該変調信号４に対応するＩＤ情報３を出力することで、同時並行的に非接触ＩＣカード読取管理装置１が複数の非接触ＩＣカード（５並びに５ａ他）との通信を行うことが可能となる。
【００２１】（請求項４）図４で、本発明に係る非接触ＩＣカード用読取管理装置１から非接触ＩＣカード５に対して出力する変調周波数４の搬送波を所定の値で偏移させる変調方式を用いることで、該非接触ＩＣカード５が該変調信号４とＩＤ情報３を受信し、該変調信号４に対応するＩＤ情報３を出力することで、同時並行的に非接触ＩＣカード読取管理装置１が複数の非接触ＩＣカード（５並びに５ａ他）との通信を行うことが可能となる。
【００２２】（請求項５）図４で、本発明に係る非接触ＩＣカード用読取管理装置１から非接触ＩＣカード５に対して出力する変調信号４を等間隔に分割する変調方式を用いることで、該非接触ＩＣカード５が該変調周波数４とＩＤ情報３を受信し、該変調周波数に対応するＩＤ情報３を出力することで、同時並行的に非接触ＩＣカード読取装置１が複数の非接触ＩＣカード（５並びに５ａ）の通信を行うことが可能となる。
【実施例】
【００２３】  図１は本発明に係る非接触ＩＣカード用読取管理装置の動作手順を示したものである。【００２４】  非接触ＩＣカード用読取管理装置１に装着された記憶装置２に記憶されているＩＤ情報３ａに従って変調によりディジタル情報を変調４し、非接触ＩＣカード５に対して発信を行う。【００２５】  該非接触ＩＣカード用読取管理装置１からの信号を受取った該非接触ＩＣカード５は変調されたディジタル情報を復調し、ＩＤ情報３ａを入手し、該ＩＤ情報３ａを付けて該非接触ＩＣカード用読取管理装置１に対して変調周波数４及びＩＤ情報３を合わせた返答６を行う。【００２６】  該返答５を受信した非接触ＩＣカード用読取管理装置１は変調信号４と該ＩＤ情報３ａを該非接触ＩＣカードのＩＤとして読取管理情報記憶装置２ａに記憶し、以後該非接触ＩＣカード５と変調信号４並びに該ＩＤ情報３を固定し、これらの情報を該非接触ＩＣカード５の通信用として確保する。【００２７】  非接触ＩＣカード読取管理装置１は該非接触ＩＣカード５と異なる非接触ＩＣカード５ａに対して該非接触ＩＣカード５に対して行ったと同じ動作を行い、該非接触ＩＣカード５ａと変調信号４ａ並びに該ＩＤ情報３ａを固定し、これらの情報を該非接触ＩＣカード５ａの通信用として確保する。【００２８】  他の非接触ＩＣカード５ｂ他に対しても同じ動作を行い、該非接触ＩＣカード読取管理装置１は該非接触ＩＣカード５ｂ他に対して非接触ＩＣカード５ｂ他と変調信号４ｂ他並びにＩＤ情報３ｂ他を固定並びに該非接触ＩＣカード用読取管理装置１の読取管理情報記憶装置に記憶させ、該非接触ＩＣカード５ｂ他の通信用として確保、通信を行う。【００２９】  これにより、該非接触ＩＣカード用読取管理装置１の読取管理情報記憶装置２ａに記憶され、該非接触ＩＣカード５ａ他の通信用として確保した分の非接触ＩＣカード５ａ他に対して該非接触ＩＣカード用読取管理装置１はほぼ同時に非接触ＩＣカード５ａ他と通信を行うことが可能となる。
【符号の説明】
【００３０】１    非接触ＩＣカード用読取管理装置
２    記憶装置
２ａ  読取管理情報記憶装置
３    ＩＤ情報
３ａ  ＩＤ情報ａ
３ｂ  ＩＤ情報ｂ
４    変調信号
４ａ  変調信号ａ
４ｂ  変調信号ｂ
５    非接触ＩＣカード
５ａ  他の非接触ＩＣカード
５ｂ  その他の非接触ＩＣカード
６    返答
７    変調器
８    復調器
９    読取情報処理装置
【図１】
2020021439.tif 000003
【図２】
2020021439.tif 000004
【図３】
2020021439.tif 000005
【図４】
2020021439.tif 000006